Podtech/llm-jp-corpus-v4-ja_patent huggingface dataset:
(57)【要約】      （修正有）【課題】ストレート状の主刃部の先端に副刃を設けて、切断作業中に切込部から鋸がすっぽ抜ける事を防止する鋸刃を提供する。【解決手段】鋸刃本体１は、ストレート状の主刃部２と、主刃部２の先端に設けられるストレート状の副刃部３とを、備えている。副刃部３は、主刃部２に対して所定の鋭角θをもって折り曲げ状に延設されている。θは２０°〜４５°とする。つまり、鋸刃本体１は、への字状として形成されている。主刃部２の基端には、グリップ部材５に挿入可能な取着部４が延設されている。鋸刃本体１は、ボルト・ナット、又は、ネジ、若しくは、リベット等の固着具によってグリップ部材５に着脱自在に固着されている。上記の鋸刃１によれば、切断作業中に、主刃部や副刃部が切断中の切込部からすっぽ抜けるのを防止でき、また、離脱しない安心感を持って切断作業を行えるため、力一杯鋸を引くことができ、作業効率が向上し、切断時間を短縮できる。【選択図】図１
0003161186.tif 000002
【実用新案登録請求の範囲】
【請求項１】
ストレート状の主刃部（２）と、該主刃部（２）の先端に設けられるストレート状の副刃部（３）とを、備え、
該副刃部（３）が、上記主刃部（２）に対して所定の鋭角（θ）をもって折り曲げ状に延設されていることを特徴とする鋸刃。
【請求項２】
上記鋭角（θ）を、２０°≦θ≦４５°に設定している請求項１記載の鋸刃。
【請求項３】
上記主刃部（２）を、上記副刃部（３）よりも切れ味良く目立てしている請求項１又は２記載の鋸刃。
【考案の詳細な説明】
【技術分野】
【０００１】
本考案は、鋸刃に関する。
【背景技術】
【０００２】
従来、植物や木材等を切断する際に、真っ直ぐな鋸刃を有する手引き鋸が用いられてきた（特許文献１参照）。
【先行技術文献】
【特許文献】
【０００３】
【特許文献１】特開２００８−２３８４６号公報
【考案の概要】
【考案が解決しようとする課題】
【０００４】
しかし、従来の鋸は、切断作業中に鋸刃が木材の切れ込みから不用意に離脱する（すっぽ抜ける）虞れがあり、大変危険であった。また、一旦離脱した鋸刃を、切れ込みに挿入して切断を再開するのに時間を費やし、迅速に作業が行えなかった。
さらに、鋸刃の離脱を危惧するあまりに、鋸刃の先端付近に大きな力を加えて切断できなくなるという欠点があった。
【０００５】
そこで、本考案は、離脱の虞れがなく安全性の高い鋸刃を提供することを目的とする。
【課題を解決するための手段】
【０００６】
本考案に係る鋸刃は、ストレート状の主刃部と、該主刃部の先端に設けられるストレート状の副刃部とを、備え、該副刃部が、上記主刃部に対して所定の鋭角をもって折り曲げ状に延設されているものである。
【０００７】
また、上記鋭角を、２０°≦θ≦４５°に設定しているものである。
また、上記主刃部を、上記副刃部よりも切れ味良く目立てしているものである。
【考案の効果】
【０００８】
本考案の鋸刃によれば、切断作業中に、主刃部や副刃部が切断中の切込部からすっぽ抜けるのを防止できる。また、離脱しない安心感を持って切断作業を行えるため、力一杯鋸を引くことができ、作業効率が向上し、切断時間を短縮できる。
【図面の簡単な説明】
【０００９】
【図１】本考案の実施の一形態を示した側面図である。
【図２】鋸刃の使用状態を示した説明用側面図である。
【考案を実施するための形態】
【００１０】
以下、実施の形態を示す図面に基づき本考案を詳説する。
図１に示すように、本考案の鋸刃本体１は、ストレート状の主刃部２と、主刃部２の先端に設けられるストレート状の副刃部３とを、備えている。副刃部３は、主刃部２に対して所定の鋭角θをもって折り曲げ状に延設されている。つまり、鋸刃本体１は、への字状として形成されている。主刃部２の基端には、グリップ部材５に挿入可能な取着部４が延設されている。鋸刃本体１は、ボルト・ナット、又は、ネジ、若しくは、リベット等の固着具によってグリップ部材５に着脱自在に固着されている。
【００１１】
主刃部２は、多数の第１鋸歯部１２を有している。第１鋸歯部１２は、図中１点鎖線で示す歯列Ｌ２が、直線状となるように形成している。また、副刃部３は、多数の第２鋸歯部１３を有し、第２鋸歯部１３の歯列Ｌ３が、直線状となるように形成している。主刃部２の歯列Ｌ２の延長線に対して副刃部３の歯列Ｌ３が成す鋭角θは、２０°≦θ≦４５°に設定している。
また、主刃部２は、副刃部３よりも切れ味良く目立てしている。言い換えると、主刃部２の第１鋸歯部１２は、比較的鋭く目立てられ切れ味良く仕上げられ、副刃部３の第２鋸歯部１３は、低級目立て（仕上げ）としている。
【００１２】
上述した本考案の鋸刃の使用方法（作用）について説明する。
図２に示すように、被切断部材Ｅに、押圧力Ｆをもって主刃部２を圧接しつつ往復動を繰り返して切断を行なう。この際、副刃部３がストッパーとして作用し、鋸刃本体１が被切断部材Ｅの切込部Ｄから不用意に離脱するのを防止する。鋸刃本体１は、切れ味の良い主刃部２にて、スムーズに被切断部材Ｅを切断するが、被切断部材Ｅに副刃部３が摺接すると、切断作業者に鋸を引くのが重くなったような違和感を与えて、主刃部２の先端が切込部Ｄから逸脱したことを知らせる。
【００１３】
副刃部３は、被切断部材Ｅに食い込むことなく切断が可能であり、鋸刃本体１の往復動を阻害しない。また、切断作業者は、主刃部２が切込部Ｄからすっぽ抜けることを心配しなくて済むため、安心して力一杯切断作業を行える。このようにして、鋸刃本体１は、主刃部２の先端まで大きな押圧力Ｆを込めて切断できるため、被切断部材Ｅを迅速に切断し、作業効率を向上する。
【００１４】
以上のように、本考案は、ストレート状の主刃部２と、主刃部２の先端に設けられるストレート状の副刃部３とを、備え、副刃部３が、主刃部２に対して所定の鋭角θをもって折り曲げ状に延設されているので、切断作業中に、主刃部２や副刃部３が切断中の切込部Ｄからすっぽ抜けるのを防止できる。また、離脱しない安心感を持って切断作業を行えるため、力一杯鋸を引くことができ、作業効率が向上し、切断時間を短縮できる。
【００１５】
また、鋭角θを、２０°≦θ≦４５°に設定しているので、副刃部３が被切断部材Ｅに食い込むことなく切断が可能となり、作業を中断させない。
【００１６】
また、主刃部２を、副刃部３よりも切れ味良く目立てしているので、切断作業中に、副刃部３が被切断部材Ｅに摺接すると、切断作業者に鋸を引くのが重くなったような違和感を与えて、主刃部２の先端が切込部Ｄから逸脱したことを知らせることができ、副刃部３をストッパーとして利用できる。
【符号の説明】
【００１７】
２  主刃部
３  副刃部
θ  鋭角
【図１】
0003161186.tif 000003
【図２】
0003161186.tif 000004
(57)【要約】      （修正有）【課題】複数の発光ダイオードの連結箇所の輝度を維持し、平均的にすることができる、発光ダイオードのパッケージ構造を提供する。【解決手段】発光ダイオードのパッケージ構造は主に、パッケージ区域が定義されたパッケージ座体と、パッケージ区域に設置された少なくとも１つの発光ダイオードチップと、発光ダイオードチップのあらかじめ定めた位置を被覆して設けられた透光性パッケージ材を含む。この構造により、発光ダイオードチップの発する光線が側面からも射出される。【選択図】図４
0003161182.tif 000002
【実用新案登録請求の範囲】
【請求項１】
発光ダイオードのパッケージ構造であって、パッケージ区域が定義されたパッケージ座体と、前記パッケージ区域に設置された少なくとも１つの発光ダイオードチップと、前記発光ダイオードチップのあらかじめ定めた位置を被覆して設けられた透光性パッケージ材を含むことを特徴とする、発光ダイオードのパッケージ構造。
【請求項２】
前記透光性パッケージ材にあらかじめ定めた量の蛍光粉が混合されることを特徴とする、請求項１に記載の発光ダイオードのパッケージ構造。
【請求項３】
前記透光性パッケージ材がシリコン（Ｓｉｌｉｃｏｎｅ）であることを特徴とする、請求項１または２に記載の発光ダイオードのパッケージ構造。
【考案の詳細な説明】
【技術分野】
【０００１】
本考案は発光ダイオードに関し、特に、複数の発光ダイオードの連結箇所の輝度を維持し、平均的にすることができる、発光ダイオードのパッケージ構造に関する。
【背景技術】
【０００２】
図１に示すように、従来の発光ダイオードのパッケージ構造は、パッケージ座体２上に少なくとも１つの発光ダイオードチップ２０が設置され、不透光性パッケージ材２２（例：エポキシ樹脂またはアクリル）を利用して発光ダイオードチップ２０の周辺を囲んでおり、このため、発光ダイオードチップ２０を設置したパッケージ座体２を相互に連結すると、不透光性パッケージ材２２が発光ダイオードチップ２０の側面光を阻隔するため、パッケージ座体２とパッケージ座体２の連結箇所の光線が明らかに非連結箇所に比べて暗くなる。このような発光ダイオードパッケージ構造を利用すると、広範囲の照明場所に運用するとき、肉眼で明暗の不均一さに気付く。
【０００３】
このため、上述の従来品の問題と欠点をいかに解決するかが本考案の考案者と関連産業に従事する企業が改善を研究する方向性である。
【考案の概要】
【考案が解決しようとする課題】
【０００４】
本考案の考案者は上述の欠点に鑑み、関連資料を収集し、多方面の評価と検討を経て、かつ関連産業に従事した長年の経験に基づき試作と修正を重ね、ついにこの複数の発光ダイオードの連結箇所の輝度を維持し、平均的にすることができる発光ダイオードのパッケージ構造の実用新案の開発に至った。
【０００５】
本考案の主な目的は、複数の発光ダイオードの連結箇所の輝度を維持し、平均的にすることができる、発光ダイオードのパッケージ構造を提供することにある。
【０００６】
本考案の別の目的は、透光性パッケージ材に異なる成分の蛍光粉を混合することで、異なる色温度を形成し、カスタマイズ条件を満たすことができる、発光ダイオードのパッケージ構造を提供することにある。
【課題を解決するための手段】
【０００７】
本考案の発光ダイオードのパッケージ構造は主に、パッケージ座体、発光ダイオードチップ、透光性パッケージ材から構成され、前記発光ダイオードチップは前記パッケージ座体上のパッケージ区域に設置され、前記透光性パッケージ材で前記発光ダイオードチップのあらかじめ定めた位置が被覆され、前記透光性パッケージ材（例：シリコン（Ｓｉｌｉｃｏｎｅ））にはあらかじめ定めた量の蛍光粉が混合される。これにより、発光ダイオードチップの発する光線が側面からも射出され、発光ダイオードチップを設置したパッケージ座体を連結するとき、連結箇所の輝度を維持でき、輝度が不均一な状況を回避することができる。
【図面の簡単な説明】
【０００８】
【図１】従来の発光ダイオードパッケージ構造である。
【図２】本考案の最良の実施例の立体図である。
【図３】本考案の最良の実施例の断面図である。
【図４】本考案の最良の実施例の使用状態を示す断面図である。
【考案を実施するための形態】
【０００９】
上述の目的及び効果を達するため、本考案が採用する技術手段及び構造について、以下で図面と本考案の最良の実施例を参照しながらその特徴と機能を詳細に説明する。
【００１０】
図２と図３に本考案の最良の実施例の立体図と断面図をそれぞれ示す。これらの図からはっきりと分かるように、本考案の発光ダイオードのパッケージ構造は、このパッケージ構造１が主に、パッケージ座体１０、発光ダイオードチップ１２、透光性パッケージ材１４から構成され、前記パッケージ座体１０上にパッケージ区域１０２が定義され、かつ前記パッケージ区域１０２に少なくとも１つの発光ダイオードチップ１２が設置され、その後さらに前記透光性パッケージ材１４で前記発光ダイオードチップ１２のあらかじめ定めた位置が被覆され、前記透光性パッケージ材１４は透明の材質（例：シリコン（Ｓｉｌｉｃｏｎｅ））であるため、前記発光ダイオードチップ１２が側面光を形成し、照明範囲を拡大することができる。このほか、前記透光性パッケージ材１４にはあらかじめ定めた量の蛍光粉が混合され、異なる成分の蛍光粉で異なる色温度を達成することができる。
【００１１】
上述の構造、組み立て設計に基づき、本考案の使用作動状況について以下で説明する。同時に図４の本考案の最良の実施例の使用状態を示す断面図を参照する。これらの図からはっきりと分かるように、発光ダイオードチップ１２を設置したパッケージ座体１０を運用して照明範囲を増加するときは、直列または並列方式で随意に照明範囲を変化させることができ、発光ダイオードチップ１２上を被覆している透光性パッケージ材１４が発光ダイオードチップ１２の側面光を透過させることができるため、その運用する照明範囲の広さを問わず、十分に均一な照明効果を発揮し、明暗が不均一になることがない。
【００１２】
以上の説明は本考案の最良の実施例に挙げて説明したものであり、本考案の権利範囲を限定することはなく、本考案の明細書及び図面の内容を運用した簡易な修飾や同等の構造変化はすべて本考案の特許範囲に含まれる。
【００１３】
上述をまとめると、本考案の発光ダイオードのパッケージ構造は使用時に確実にその効果と目的を達することができるため、本考案は実用性に優れた創作であり、実用新案登録出願の要件を満たしており、法に基づきここに出願を提出するものである。
【符号の説明】
【００１４】
１        パッケージ構造
１０      パッケージ座体
１０２    パッケージ区域
１２      発光ダイオードチップ
１４      透光性パッケージ材
２        パッケージ座体
２０      発光ダイオードチップ
２２      不透光性パッケージ材
【図１】
0003161182.tif 000003
【図２】
0003161182.tif 000004
【図３】
0003161182.tif 000005
【図４】
0003161182.tif 000006
(57)【要約】【課題】トイレの中に新たに手洗器を取り付けるに当って、給水パイプ及び排水パイプがトイレ内に露出することなく美感を保ち、安全性を確保したトイレ壁付け手洗い装置を提供する。【解決手段】トイレの内側壁の壁面に壁取付金物によって取り付けられ、内部を空胴部とされた手スリ及び手洗器と、手洗器の水栓に水道水を供給する給水パイプ及び手洗器で使用された使用済水を排水する排水パイプと、排水パイプからの排水を便器に流出させる排水口と、を備え、給水パイプ及び排水パイプが手スリの空胴部内に配設される。【選択図】図１
0003161180.tif 000002
【実用新案登録請求の範囲】
【請求項１】
トイレの内側壁の壁面に壁取付金物によって取り付けられ、内部を空胴部とされた手スリ及び手洗器と、該手洗器の水栓に水道水を供給する給水パイプ及び手洗器で使用された使用済水を排水する排水パイプと、排水パイプからの排水を便器に流出させる排水口と、を備え、前記給水パイプ及び前記排水パイプが前記手スリの空胴部内に配設されること
を特徴とするトイレ壁付け手洗い装置。
【考案の詳細な説明】
【技術分野】
【０００１】
本考案は、トイレの壁に取り付けられる手洗い装置に関する。
【背景技術】
【０００２】
一般に、トイレの中に手洗器が設けられている。この手洗器は、水栓に水道水を供給する給水パイプ及び手洗い器で使用された使用済水を排水パイプとが接続され、排水パイプには排水を便器に流水させるための排水口が接続される。
【０００３】
特許文献１には、垂直手摺及び水平手摺を手洗器に隣接して配設することが記載されている。
【先行技術文献】
【特許文献】
【０００４】
【特許文献１】特開２０００−２９７５４９号公報
【考案の開示】
【考案が解決しようとする課題】
【０００５】
トイレに新たに手洗器を取り付けるのに従来通りの手洗器を採用しようとすると、取付工事に多くの手間を要することになって工事費が多大のものとなる。何よりも問題は後づけのために設置配管、すなわち給水パイプ、排水パイプがトイレ内に露出することになって美感を著しく損ねることになることである。
【０００６】
また、高齢者あるいは子供のいる家庭にあっては、安全のためにトイレの中に手スリを設けることが要望される。
【０００７】
本考案は、かかる点に鑑みてトイレの中に新たに手洗器を取り付けるに当って、給水パイプ及び排水パイプがトイレ内に露出することなく美感を保ち、安全性を確保したトイレ壁付け手洗い装置を提供することを目的とする。
【課題を解決するための手段】
【０００８】
本考案は、トイレの内側壁の壁面に壁取付金物によって取り付けられ、内部を空胴部とされた手スリ及び手洗器と、該手洗器の水栓に水道水を供給する給水パイプ及び手洗器で使用された使用済水を排水する排水パイプと、排水パイプからの排水を便器に流出させる排水口と、を備え、前記給水パイプ及び前記排水パイプが前記手スリの空胴部内に配設されることを特徴とするトイレ壁付け手洗い装置を提供する。
【考案の効果】
【０００９】
本考案は、上述したようにトイレの内側壁に手スリと手洗い器を取り付け、給水パイプ及び排水パイプが手スリの空胴部内に配設されるようにしたので、トレイの中に新たに手洗い器を取り付けるに当って、給水パイプ及び排水パイプがトイレの中に露出することがないので、美感が保たれ、かつ手スリの設置によって安全性を確保することができる。
【図面の簡単な説明】
【００１０】
【図１】本考案の実施例の全体構成を示す図。
【図２】給水パイプ及び排水パイプの手洗器側配設状態を示す図。
【図３】排水パイプの便器側配設状態を示す図。
【考案を実施するための最良の形態】
【００１１】
以下、本考案の実施例を図面に基づいて説明する。
【実施例】
【００１２】
図１は、本考案の実施例であるトイレ壁付け手洗い装置の構成を示す図である。
【００１３】
図１において、トイレ壁付け手洗い装置１は、トイレの内側壁の壁面１００に壁取付金具５によって取り付けられた手スリ２及び手洗器３を備える。手スリ２は、内部に空胴部（図示せず）を備える、すなわち手スリ２は、空胴状の木製あるいは金属等のパイプ材で構成される。
【００１４】
手洗器３は、通常の設備として水栓４を備える。
【００１５】
この水栓４には、通常の設備として水道水を供給する給水パイプ６が接続され、手洗器３には通常の設備として使用された使用済水を排水する排水パイプ７が接続される。
【００１６】
これらの給水パイプ６及び排水パイプ７は、手スリ２の空胴部内を配設され、水栓４あるいは手洗器３に接続される。
【００１７】
給水パイプ６のもう一方の端部には、給水用接続口８が設けられ、水道導管（図示せず）に接続される。
【００１８】
排水パイプ７のもう一方の端部には、排水口９が接続され、この排水口９には便器取付クリップ１０が付属される。
【００１９】
図２は、給水パイプ６及び排水パイプ７の配設の状況を示す。
【００２０】
給水パイプ６は、給水パイプ取付金具１１によって水栓４に取り付けられる。
【００２１】
排水パイプ７は、排水パイプ取付金具１２によって手洗器３の排水口１３に取り付けられる。
【００２２】
このように水栓４及び手洗器３に接続された給水パイプ６及び排水パイプ７は手スリ２の空胴部内を配設されて外部に露出しない。通常、手スリ２は、美感のよい材料が用いられるので、トイレ内の美感が給水パイプ６及び排水パイプ７の配設によって阻害されることがない。
【００２３】
なお、手洗器３は、手洗器取付金具１４によってトイレの内側壁の壁面１００に取り付けられる。１５は蛇口である。
【００２４】
図３は、排水口９の便器２１への設置構造を示す。
【００２５】
排水パイプ７は、取付金具２０によって排水口９を備え、排水口９は、便器取付クリップ１０を備え、排水口９及び便器取付クリップ１０は便器２１の上端縁２２を挟み込み、便器取付けクリップ１０の持つ弾性力によって排水口９を上端縁２２に固定させることができる。
【００２６】
排水口９は、便座（図示せず）と便器２１の上端縁２２のすき間に介在させて設置される。
【００２７】
排水口９は、その吐出口が便器２１の下端部に向けて開口されており、排水パイプ７を流れて来た使用済水は便器内への流出される。
【００２８】
手スリ２は、壁面１００の任意の高さに設置するものとして、太さ、形状は高齢者あるいは子供がつかまり易いものとすることが望ましい。
【００２９】
便器２１は既存のものが使用される。
【００３０】
このようにして、給水パイプ６及び排水パイプ７を手スリ２と一体化することができる。このような構成であると、取付工事が簡単に短時間で行うことができ、手洗器３を後付けにもかかわらず、トイレ内の美感を損わないトイレ壁付け手洗い装置１とすることができる。
【符号の説明】
【００３１】
１…トイレ壁付け手洗い装置、２…手スリ（手摺）、３…手洗器、４…水栓、５…壁取付金具、６…給水パイプ、７…排水パイプ、９…排水口、１０…便器取付クリップ、１４…手洗器取付金具、１００…壁面。
【図１】
0003161180.tif 000003
【図２】
0003161180.tif 000004
【図３】
0003161180.tif 000005
(57)【要約】      （修正有）【課題】背広において、背広を着用したままで、簡単に涼しくなり、また、元に戻すことも簡単な背広における袖口構造を提供する。【解決手段】背広本体において、該背広の袖２の袖口３より、適宜な長さほど肩方向に向かった位置Ｘを基点として、袖２にスリットＹを形成し、袖２の表部には、該スリットＹに沿って、複数個の飾りボタン４をそれぞれ縫着して設け、袖２の裏生地には、カラフルな裏地５を設けたことを特徴とする。【選択図】図３
0003161139.tif 000002
【実用新案登録請求の範囲】
【請求項１】
背広本体（１）において、該背広の袖（２）の袖口（３）より、適宜な長さほど肩方向に向かった位置（Ｘ）を基点として、袖（２）にスリット（Ｙ）を形成し、袖（２）の表部には、該スリット（Ｙ）に沿って、複数個の飾りボタン（４）をそれぞれ縫着して設け、袖（２）の裏生地には、カラフルな裏地（５）を設けたことを特徴とする背広における袖口構造。
【考案の詳細な説明】
【技術分野】
【０００１】
この考案は、背広における袖口構造に関するものである。
【背景技術】
【０００２】
従来より、背広は、一般的社会人の仕事着として一年中広く着用されており、季節による寒暖に対しては生地の素材（例えば、麻、綿、ウール、あるいはこれらと合成繊維との混紡等）を変えることにより、多少考慮されているが、背広は、殆ど季節に関係なく着用されている制服のようなものである。
【０００３】
そして、事業所内での仕事中や、夏期等の炎天下においても、顧客との商談や挨拶回り等で顧客会社訪問するに際しては、礼を尽くす意味で、背広姿で対応しており、その途中では、ワイシャツの首のボタンを外し、ネクタイを緩めており、会社に着く寸前に、前記ワイシャツのボタンと止めなおし、弛めたネクタイを元とおりに締め直すようにしているが、鏡のない場所での締めなおしは、ネクタイの結び目が横にずれていたりしており、恰好悪く、また、汗だらけの手で行う作業も、結構、煩雑で汚れも付着するものであった。
【０００４】
ここ数年、クールビスと称して、ノーネクタイで、ワイシャツの首の部分のボタンを外して背広を着用しているが、やはり、ネクタイを締めると気分も引き締まり、また、顧客等の相手方に対して礼をつくす事になり、大部分は、夏期でもネクタイを着用しているのが実状である。
【０００５】
そして、衣服の袖を加工するものは存在した。例えば、特許文献１のように。しかし、この特許文献１は、袖口の手首部分の外周長さを調整するためのものであり、背広の袖を中途より折り返すことにより、涼しくなるものではない。
【先行技術文献】
【特許文献】
【０００６】
【特許文献１】特開２００９−１３８３２１号公報
【０００７】
しかしながら、ワイシャツにおいては、仕事中には、その袖をまくり上げて作業をすることにより、袖が邪魔にならず作業が捗り、また、袖口付近の汚れを防止したり、水に濡れないよう配慮している。
【０００８】
また、背広においては、一度、背広を脱いでから、両袖の袖口をまくり上げ、このまくり上げた背広を再度、着用するしたできなかった。
【考案の概要】
【考案が解決しようとする課題】
【０００９】
そこで、考案が解決しようとする課題は、背広において、背広を着用したままで、簡単に涼しくなり、また、元に戻すことも簡単な背広における袖口構造を開発・提供することにある。
【課題を解決するための手段】
【００１０】
この考案による課題を解決するための手段としては、背広の両袖を、一時的に短くすることにより、涼しくし、また、元に戻すことも簡単で、かつ、オシャレな背広における袖口構造とするものである。
【考案の効果】
【００１１】
この考案によると、背広の両袖を、二の腕付近でそれぞれ折り返すことにより、涼しくなり、また、袖口を元に戻すことも簡単であり、また、背広の両袖の裏地を、美麗な模様や色彩の生地を設けることによりオシャレな背広となる等極めて有益なる効果を奏するものである。
【図面の簡単な説明】
【００１２】
【図１】この考案の一実施例を示す正面図である。
【図２】この考案の一実施例を示す要部拡大一部欠截斜視図である。
【図３】この考案の使用状態を示す要部拡大一部欠截斜視図である。
【考案を実施するための形態】
【００１３】
以下、この考案の好適な実施の形態について述べると、背広の両袖を、二の腕付近までそれぞれ袖口よりスリットを有する構造に改良することにより、袖口を元に戻すことも簡単であり、また、背広の両袖の裏地を、美麗な模様や色彩の生地を設けることによりオシャレな背広とする背広における袖口構造とするものである。
【実施例】
【００１４】
そこで、この考案の一実施例を図１，図２，図３に基づいて詳細に説明すると、背広本体（１）において、該背広の袖（２）の袖口（３）より、適宜な長さ（α）ほど肩方向に向かった位置（Ｘ）を基点として、袖（２）にスリット（Ｙ）を形成し、袖（２）の表部には、該スリット（Ｙ）に沿って、複数個の飾りボタン（４）をそれぞれ縫着して設け、袖（２）の裏生地には、カラフルな裏地（５）を設けたことを特徴とする背広における袖口構造から構成されるものである。
【００１５】
そして、裏地（５）には、例えば、高級ブランドのスカーフをそのまま利用してもよいものである。
【産業上の利用可能性】
【００１６】
この考案の背広袖口の構造の技術を確立し、該技術を実施・販売することにより、産業上利用可能性があるものである。
【符号の説明】
【００１７】
１  背広本体
２  袖
３  袖口
４  飾りボタン
５  裏地
Ｘ  位置
Ｙ  スリット
【図１】
0003161139.tif 000003
【図２】
0003161139.tif 000004
【図３】
0003161139.tif 000005
(57)【要約】      （修正有）【課題】細長い弁当箱に対して、飯を簡単かつ確実にふんわりと衛生的によそうことができるしゃもじを提供する。【解決手段】基端部を太くした握り柄２の先端に、比較的深く窪んだ皿形状で、幅狭で先端方向に突出する楕円形状とした掬い皿部３を連設し、この掬い皿部３の両面に小さな突起５によるエンボス加工を施し、握り柄２の基端面を平坦面４に形成する。【選択図】図１
0003161134.tif 000002
【実用新案登録請求の範囲】
【請求項１】
基端部を太くした握り柄（２）の先端に、比較的深く窪んだ皿形状で、幅狭で先端方向に突出する楕円形状とした掬い皿部（３）を連設し、該掬い皿部（３）の両面に小さな突起（５）によるエンボス加工を施し、前記握り柄（２）の基端面を平坦面（４）に形成したことを特徴とするしゃもじ。
【考案の詳細な説明】
【技術分野】
【０００１】
本考案は、主として弁当箱に飯を詰める際に用いられるしゃもじに関するものである。
【背景技術】
【０００２】
昨今の弁当箱、ランチボックスは、総菜と飯とを別個の細長な容器に詰め、上下に重ねるものが主流となっている。これは、従来のようにブック型のものは、総菜の汁が飯に染み込んだり、水平姿勢でカバンや袋に収納保持しにくかったからである。
【０００３】
しかしながら、飯を詰めるのに用いる従来のようなしゃもじは、掬い皿部が扁平で円形形状に近いものであったため、細長な容器に詰め込みにくく、飯を容器の縁に擦り付けることになってしまい、体裁が悪く、飯が潰れるために美味が損なわれるといった不満が残った。また、掬い皿面に飯が付着してしまうのでふんわりとした盛り付けができず、文字通り詰め込みになってしまい、特に容器の内壁面との付着が見苦しいものになっていた。更には、他の作業のためにしゃもじを手放さなければならない場合があるが、作業台等に単に置いたのでは、飯粒が落ちたり不潔であったりする問題もある。そこでこの観点から、例えば以下の如き提案がある。
【先行技術文献】
【特許文献】
【０００４】
【特許文献１】登録実用新案第３０７３９０７号公報
【特許文献２】登録実用新案第３１０１０６２号公報
【特許文献３】意匠登録第１１６５６２９号公報
【考案の概要】
【考案が解決しようとする課題】
【０００５】
この特許文献１の考案「しゃもじ」は、掬い部の表面に複数の小凹部を設けた構成で、飯をよそう際に飯離れの良いものにしているが、この形態だけでは細長な容器への詰め込み易さを保証することはできない。
【０００６】
また、特許文献２の考案「縦置きしゃもじ」は、握り柄の端部面積の比率を大きくし、しゃもじ単体で縦置きできるように構成したものであるが、その機能だけである。
【０００７】
更に特許文献３の意匠「しゃもじ」は、握り柄の軸芯に対して、略楕円形の掬い部の長径を斜めにした構成で、掬い部の先端部が細くなっているが、一方向への斜めの突出であるので、利き手が逆の場合には取り扱いにくい欠点がある。
【０００８】
よって本考案は、上述した従来技術の欠点、不都合、不満を解消するべく開発されたしゃもじであって、細長い容器となった弁当箱に対して、飯を簡単かつ確実にふんわりと衛生的によそうことができるようにすることを目的とする。
【課題を解決するための手段】
【０００９】
上記課題を解決するため、本考案のしゃもじは、基端部を太くした握り柄の先端に、比較的深く窪んだ皿形状で、幅狭で先端方向に突出する楕円形状とした掬い皿部を連設し、この掬い皿部の両面に小さな突起によるエンボス加工を施し、前記した握り柄の基端面を平坦面に形成したことを特徴とする。
【考案の効果】
【００１０】
上記した本考案のしゃもじは、掬い皿部が幅狭で先端方向に突出する楕円形状であり、且つ掬い皿部の両面に小さな突起によるエンボス加工を施しているので、細長い容器となった弁当箱に対し、飯を簡単かつ確実に飯離れ良くふんわりとよそうことができ、特に冷凍保存された飯を取り出す際に保存容器の隅に残る米粒をかき出すことができ、盛り付ける際に飾り付けの細工がし易く、左右対称形状であるので利き手を選ばず、取り扱い易い。
【００１１】
また、掬い皿部は比較的深く窪んだ皿形状であるので、従来の扁平な形態に比べて飯がこぼれにくく、粘度の高いタレ類の総菜も掬い易くなっている。
【００１２】
更には、握り柄の基端面を平坦面に形成したことにより、掬い皿部を作業台等に接することなく縦に置くことができるので、頻繁に調理と盛り付けとを繰り返す弁当作業の際に任意の場所に立てておけることになり、衛生的であるばかりでなく作業スペースを最小限にとどめることができる等、本考案は多くの優れた作用効果を奏する。
【図面の簡単な説明】
【００１３】
【図１】本考案にかかるしゃもじの一例を示す斜視図である。
【図２】正面図である。
【図３】弁当箱によそう状態を示す斜視図である。
【考案を実施するための形態】
【００１４】
本考案のポリプロピレン製のしゃもじ１は、基端部を太くした握り柄２の先端に掬い皿部３を連設した基本構成で、握り柄２の基端面を平坦面４に形成したために、この平坦面４を底面として全体を立てた自立姿勢にすることができ、また、掬い皿部３の両面に小さな突起５によるエンボス加工を施す。
【００１５】
掬い皿部３は、比較的深く窪んだ皿形状で、幅狭で先端方向に突出する楕円形状であり、その長径と握り柄２の軸芯とは一致しており、左右対称形状となる。
【実施例】
【００１６】
握り柄２は、上面を掬い皿部３の上面とほぼ面一にした平坦面とする略三角柱形状であるが、掬い皿部３に向かって徐々に薄板状となり、基端の略三角面が前記した平坦面４となる。
【００１７】
掬い皿部３は、楕円形状の長径と短径との比率は約７：４の幅狭で先端方向に突出する形態であり、図３に示すように細長い容器となった弁当箱Ａに対し、飯を簡単によそうことができるのである。
【符号の説明】
【００１８】
１  しゃもじ
２  握り柄
３  掬い皿部
４  平坦面
５  突起
Ａ  弁当箱
【図１】
0003161134.tif 000003
【図２】
0003161134.tif 000004
【図３】
0003161134.tif 000005
(57)【要約】      （修正有）【課題】各楽器をマイクを通さずにバランス（各楽器の音の大きさ）を調整するバンドレベルバランスマスターを提供する。【解決手段】ミキサー本体に集音マイクを内蔵して各楽器の音量を目で見てわかるようにレベル化し、音の大きさが調節出来ないドラムを主に各楽器の音量を調節する。又有名なバンドの基本バランスがサンプルで、入っていて、そのサンプルバランスに合わす事により有名バンドに近いバンドバランスが出来る。【選択図】図１
0003161752.tif 000002
【実用新案登録請求の範囲】
【請求項１】
ミキサー本体に集音マイクを内蔵して各楽器の音量を目で見てわかるようにレベル化する
音の大きさが、調節出来ないドラムを主に各楽器の音量を調節する。又有名なバンドの基本バランスがサンプルで、入っていて、そのサンプルバランスに合わす事により有名バンドに近いバンドバランスが、出来る。
【考案の詳細な説明】
公序良俗違反のため、不掲載とする。
【図１】
0003161752.tif 000003
【図２】
0003161752.tif 000004
【手続補正書】
【提出日】平成22年4月20日(2010.4.20)
【手続補正１】
【補正対象書類名】明細書
【補正対象項目名】全文
【補正方法】変更
【補正の内容】
【考案の詳細な説明】
【技術分野】
【０００１】
本考案は、バンドレベルバランスマスターに関する。
【背景技術】
【０００２】
従来には、各楽器をマイクを通さずにバランス（各楽器の音の大きさ）を調整する物がなかった。
【考案の概要】
【考案が解決しようとする課題】
【０００３】
バンドの練習などで初心者がボーカルや各楽器の音量を調節するのは難しく、争いの原因になる。
【課題を解決するための手段】
【０００４】
生ドラムの音を主に各楽器の音量を集音してレベル化して調節するバンドレベルバランスマスターを設ける。
【考案の効果】
【０００５】
バンドレベルバランスマスターによって目で見てわかるようにレベル化する事により、各楽器の音量が調整できる。
【図面の簡単な説明】
【０００６】
【図１】本考案の実施形態に係るバンドレベルバランスマスターを斜め右上から見た図である。
【図２】同上のバンドレベルバランスマスターの側面図である。
【考案を実施するための形態】
【０００７】
図１及び図２に示すようなバンドレベルバランスマスターについて、ミキサーを販売しているメーカーにそれを改良して製作してもらう。バンドレベルバランスマスターは、ミキサー本体に集音マイクを内蔵して各楽器の音量を目で見てわかるようにレベル化する。音の大きさが調節出来ないドラムを主に各楽器の音量を調節する。又、有名なバンドの基本バランスがサンプルで入っていて、そのサンプルバランスに合わす事により、有名バンドに近いバンドバランスが出来るようにもできる。
【手続補正２】
【補正対象書類名】実用新案登録請求の範囲
【補正対象項目名】全文
【補正方法】変更
【補正の内容】
【実用新案登録請求の範囲】
【請求項１】
ミキサー本体に集音マイクを内蔵して、少なくともドラムを含む各楽器の音量を目で見てわかるようにレベル化するバンドレベルバランスマスター。
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
ミキサー本体に集音マイクを内蔵して、少なくともドラムを含む各楽器の音量を目で見てわかるようにレベル化したレベルメーターを表示するディスプレーを備えた、バンドレベルバランスマスター。
(57)【要約】      （修正有）【課題】読書ができない状況でも、本の内容を楽しめるＣＤを提供する。【解決手段】本の名称を表面の中央孔の片側に表示し、その本の内容を朗読した声とバックミュージックを収録する。【選択図】図１
0003161753.tif 000002
【実用新案登録請求の範囲】
【請求項１】
本の内容をアナウンサーのような人や有名人に朗読してもらい声をいかすようなバックミュージックも小さく入れ収録してＣＤ化する。
【考案の詳細な説明】
0003161753.tif 000003
0003161753.tif 000004
【手続補正書】
【提出日】平成22年4月20日(2010.4.20)
【手続補正１】
【補正対象書類名】明細書
【補正対象項目名】全文
【補正方法】変更
【補正の内容】
【考案の詳細な説明】
【技術分野】
【０００１】
本考案は、聞く本（ＣＤ）に関する。
【背景技術】
【０００２】
話題の本が出ても本を読む時間がない人や、目を悪くしたくない人、読書が苦手な人、目が不自由な人、手で本をもてない人は、本の内容は知りたいが、読まない。一般的な書籍は読む以外に内容を知る事が出来ない。
【考案の概要】
【考案が解決しようとする課題】
【０００３】
読書離れする昨今、もっと多くの人に良い本をたくさん読んでもらう必要がある。
【課題を解決するための手段】
【０００４】
車や電車で音楽を聞くように本を聞くＣＤとする。
【考案の効果】
【０００５】
文章にしてある物を音にしても出す事により、車の中、電車の中、消灯して寝る時など、読書出来ない状況下でも本の内容を楽しめる。
【図面の簡単な説明】
【０００６】
【図１】本考案の実施形態に係る聞く本（ＣＤ）の外観図である。
【考案を実施するための形態】
【０００７】
出版社と協力し文章の音化した物を作り、図１に示すような聞く本（ＣＤ）を本と同時発売する。そうすれば、本が売れない時代に売り上げを上げられる。聞く本（ＣＤ）は、本の内容をアナウンサーのような人や有名人に朗読してもらい、声をいかすようなバックミュージックも小さく入れ収録してＣＤ化したものである。
【手続補正２】
【補正対象書類名】実用新案登録請求の範囲
【補正対象項目名】全文
【補正方法】変更
【補正の内容】
【実用新案登録請求の範囲】
【請求項１】
本の名称を表面に表示し、その本の内容を朗読した声とバックミュージックを収録したＣＤ。
【手続補正３】
【補正対象書類名】図面
【補正対象項目名】全図
【補正方法】変更
【補正の内容】
【図１】
0003161753.tif 000005
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
本の名称を表面の中央孔の片側に表示し、その本の内容を朗読した声とバックミュージックを収録したＣＤ。
(57)【要約】      （修正有）【課題】自動式胸骨圧迫心臓マッサージ器の搬送を容易にし、迅速で安全な装着と、階段や狭隘部でも搬送が可能な自動式胸骨圧迫心臓マッサージ器用布担架を提供する。【解決手段】人体を乗せる長方形の布、取っ手、人体を固定するためのベルトを有する。布には、自動式胸骨圧迫心臓マッサージ器を取り付けるためのベルトが設けられる。【選択図】図１
0003161751.tif 000002
【実用新案登録請求の範囲】
【請求項１】
布担架本体に自動式胸骨圧迫心臓マッサージ器を取り付け、残余を折り返すことでケースとして使用するとともに、残余を展開し人体を乗せた後、ベルトによる固定と、背負いベルトにより搬送を容易にしたところを特徴とする布担架である。
【請求項２】
布担架本体に自動式胸骨圧迫心臓マッサージ器を取り付けるベルトを、機器の違いに対応した位置に取り付けることにより機器本体を固定し、自動式胸骨圧迫心臓マッサージ器不使用時、布担架から外す（脱着は容易）ことにより、布担架単体で使用できるところを特徴とする布担架である。
【考案の詳細な説明】
【技術分野】
【０００１】  本考案は、自動式胸骨圧迫心臓マッサージ器を取り付けて、人体を搬送する布担架に関するものである。
【背景技術】
【０００２】  自動式胸骨圧迫心臓マッサージ器は、心肺蘇生が必要な現場への搬送として、本体をそのまま手で持って運ぶか、専用のケースに入れて運ぶ場合はケースから取り出し、人体に装着後担架に乗せて使用していた。
【考案の概要】
【考案が解決しようとする課題】
【０００３】  自動式胸骨圧迫心臓マッサージ器の現場への搬送は、本体のみでは搬送し難く、ケースに入れて搬送すればケースから取り出す手間が掛り、また、人体へ本体のみを装着した場合、又は硬質な担架へ乗せての搬送時、階段や狭隘部からの搬送に苦慮し時間を要す。従って、本考案は、搬送ケースと布担架の機能を一体化することにより、自動式胸骨圧迫心臓マッサージ器の搬送を容易にし、ケースをそのまま展開することにより布担架として使用、本体を固定していることにより、人体を本考案に乗せた場合、ずれることなく搬送が可能となり、前述の欠点を解決しようとするものである。
【課題を解決するための手段】
【０００４】  本考案は、布担架片側に自動式胸骨圧迫心臓マッサージ器を固定し、残余を折り返すことでそのままケースとし、残余を展開することにより、自動式胸骨圧迫心臓マッサージ器が固定された状態で布担架として人体を乗せ、自動式胸骨圧迫心臓マッサージ器に人体を固定、更に、布担架の固定ベルトで四肢及び体を固定、背負いベルトを付け替え人体搬送用ベルトとして使用することにより搬送を容易にし、自動式胸骨圧迫心臓マッサージ器搬送から、人体搬送までの問題点を解決している。
【考案の効果】
【０００５】  上述のように、本考案の自動式胸骨圧迫心臓マッサージ器用布担架は、搬送ケースを兼用するため、ケースからの取り出しが不要であり、従ってケースの撤収が不要であり、しかも、初めから自動式胸骨圧迫心臓マッサージ器を布担架に固定し使用することで、現場での迅速、安全な装着、搬送（特に階段や狭隘部）が可能となる。
【図面の簡単な説明】
【０００６】
【図１】本考案の自動式胸骨圧迫心臓マッサージ器用担架を展開した正面図である。
【図２】本考案布担架に自動式胸骨圧迫心臓マッサージ器を固定した一実施例である。
【図３】本考案布担架を折り返し、ケースとした図面である。
【考案を実施するための形態】
【０００７】  布担架には、自動式胸骨圧迫心臓マッサージ器固定用のベルトを数か所取り付け、また、搬送用の取っ手を数か所取り付け、背負いベルトを取り付けるための布製の輪を数か所取り付ける。そして、四肢及び体を固定するベルトを数か所取り付け、折り返してケースとして使用する場合に固定するベルトを数か所取り付ける。
【実施例】
【０００８】  以下、添付図面に従って一実施例を説明する。１は撥水性の化学繊維素材で作成された布担架本体、２は自動式胸骨圧迫心臓マッサージ器を固定するためのベルト、３は搬送用の取っ手、４は四肢、及び体固定用のベルト、５は背負いベルト固定用の輪状ベルト６は背負いベルト、７はケース固定ベルト。
【符号の説明】
【０００９】１  布担架本体２  本体サイド取っ手３  本体前後取っ手４  背負いベルトフック用固定輪５  自動式胸骨圧迫心臓マッサージ器固定用ベルト６  背負いベルト７  四肢、人体固定ベルト８  布担架（ケース）固定ベルト９  自動式胸骨圧迫心臓マッサージ器
【図１】
0003161751.tif 000003
【図２】
0003161751.tif 000004
【図３】
0003161751.tif 000005
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
本考案は、人体を乗せることができる大きさの布を外側と内側２枚で縫い合わせると同時に、人体搬送時使用する取っ手を数か所、人体を固定するためのベルトを数か所、背負いベルトフック用固定輪を数か所取り付け、外周を更に強化のためベルト状の布で縫製する。そして、布本体に、自動式胸骨圧迫心臓マッサージ器を固定するベルトを数か所取り付ける。使用する際は、布担架本体に自動式胸骨圧迫心臓マッサージ器を取り付け、残余を折り返すことでケースとして使用するとともに、残余を展開し人体を乗せた後、ベルトによる固定と、背負いベルトにより搬送を容易にしたところを特徴とする、自動式胸骨圧迫心臓マッサージ器用布担架である。
【請求項２】
本考案は、布担架本体に自動式胸骨圧迫心臓マッサージ器を取り付けるベルトにより固定して使用するが、自動式胸骨圧迫心臓マッサージ器の機種の違いに応じて、自動式胸骨圧迫心臓マッサージ器固定用のベルトの取り付け位置を調整する。また、自動式胸骨圧迫心臓マッサージ器不使用時、自動式胸骨圧迫心臓マッサージ器を布担架から外し、布担架単体で使用できるところを特徴とする自動式胸骨圧迫心臓マッサージ器用布担架である。
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
人体を乗せる長方形の布、取っ手、人体を固定するためのベルトを有する自動式胸骨圧迫心臓マッサージ器用布担架。
【請求項２】
人体を乗せる長方形の布、取っ手、人体を固定するためのベルトからなる布担架において、前記布には自動式胸骨圧迫心臓マッサージ器を取り付けるためのベルトが設けられることを特徴とする自動式胸骨圧迫心臓マッサージ器用布担架。
(57)【要約】      （修正有）【課題】一本のフックでも複数アイテムを陳列出来る縦列陳列フックを提供する。【解決手段】この縦列陳列フックは、ネットフック又はバーフックと、ネットフック又はバーフックに一端が取り付けられたオスネジを有するフックとから成る。そのフックは、一端から他端に向けて下がっており、一本のフックに複数の品間調節機能付きのミニフックが付いたものである。【選択図】図１
0003161754.tif 000002
【実用新案登録請求の範囲】
【請求項１】
一本のフックに複数のミニフック（品間調節機能付き）が付いた物で今までのフックのように直角でわなく下がっているフック。
【考案の詳細な説明】
0003161754.tif 000003
【図１】
0003161754.tif 000004
【図２】
0003161754.tif 000005
【手続補正書】
【提出日】平成22年4月16日(2010.4.16)
【手続補正１】
【補正対象書類名】明細書
【補正対象項目名】全文
【補正方法】変更
【補正の内容】
【考案の詳細な説明】
【技術分野】
【０００１】
本考案は、縦列陳列フックに関する。
【背景技術】
【０００２】
従来のフックは複数の商品を一本のフックにまとめると前方の商品しか見えなかった。
【考案の概要】
【考案が解決しようとする課題】
【０００３】
陳列場所が少なかったり、多品種少量時代にフックには一アイテムしか見えない。
【課題を解決するための手段】
【０００４】
一本のフックに何本かの品間調節機能付きのミニフックを付け、下方に角度も付ける。
【考案の効果】
【０００５】
一本のフックに何本かの品間調節機能付きのミニフックを付け、下方に角度も付けると、一本のフックでも複数アイテムを陳列出来るようになる。
【図面の簡単な説明】
【０００６】
【図１】本考案の実施形態に係る縦列陳列フックを示す斜視図である。
【図２】同上の縦列陳列フックを示す側面図である。
【考案を実施するための形態】
【０００７】
図１及び図２に示すような縦列陳列フックのサンプルを作製して、工場で大量生産する。この縦列陳列フックは、ネットフック又はバーフックと、ネットフック又はバーフックに一端が取り付けられたオスネジを有するフックとから成る。そのフックは、一端から他端に向けて下がっており、一本のフックに複数の品間調節機能付きのミニフックが付いたものである。
【手続補正２】
【補正対象書類名】実用新案登録請求の範囲
【補正対象項目名】全文
【補正方法】変更
【補正の内容】
【実用新案登録請求の範囲】
【請求項１】
ネットフック又はバーフックと、ネットフック又はバーフックに一端が取り付けられたオスネジを有するフックとから成り、そのフックは、一端から他端に向けて下がっており、そのフックに複数の品間調節機能付きのミニフックが付いている縦列陳列フック。
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
ネットフック又はバーフックと、ネットフック又はバーフックに一端が取り付けられたオスネジを有するフックとから成り、前記オスネジを有するフックは一端から他端に向けて下がっており、前記オスネジを有するフックには複数の品間調節機能付きのミニフックが付いている縦列陳列フック。
(57)【要約】      （修正有）【課題】同時に両手・両側のツボを刺激することが出来るハンドマッサージ器具を提供する。【解決手段】棒状のてこ式の形状を有するハンドマッサージ器具で２本の棒の中心を曲げ、山の部分をネジで接触させる。【選択図】図１
0003161762.tif 000002
【実用新案登録請求の範囲】
【請求項１】
（１）左右対称にして、たがいの手を寄せることによって力がかかり、マッサージできるので、揉むという行為がいらないのである。
（２）同時に両手・両側の手をマッサージできる。
【考案の詳細な説明】
【考案の概要】
【考案が解決しようとする課題】
【０００１】  従来のものは、片方ずつの手または両手片側ずつのマッサージしかできなかったものを、同時に両手・両側の指圧マッサージができるように解決した。
【課題を解決するための手段】
【０００２】  平たい棒を２本使用し、２本の棒の真ん中を曲げ、接触することによって、てこの原理でお互いの手のひら、手の甲を挟んで内側に圧力をかけながら、指圧するようにする。
【考案の効果】
【０００３】  同時に両手・両側をマッサージすることによって、マッサージの時間が短縮され、また揉むほうの手・揉まれるほうの手と分かれることなく、同時に揉まれる方だけの手になる。また、平たい棒の真ん中に接触部分をネジ式にしたことによって、サイズが変わる。
【図面の簡単な説明】
【０００４】
【図１】  器具本体の平面図である。
【図２】  考案した器具の使用状況を示す図である。
【符号の説明】
【０００５】  １．マッサージ器具本体
２．平たい棒
３．指圧部分
４．ネジ
【図１】
0003161762.tif 000003
【図２】
0003161762.tif 000004
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
棒状のてこ式の形状を有するハンドマッサージ器具で２本の棒の中心を曲げ、山の部分をネジで接触させ、その棒と棒の間に手をはさんで、互いの手を寄せることによって力がかかり、同時に両手・両側のツボを刺激することが出来るハンドマッサージ器具。